(57)【要約】【課題】上下顎歯列の位置及び咬合関係を高精度に調整することができる歯科用咬合器を提供する。【解決手段】上顎模型のホルダ（９０）は、上顎クラッチ（８１）を備えており、前記バイトフォーク（８３）は、当該バイトフォークに着脱可能な支持部を有しており、前記バイトフォーク（８３）から前記支持部を取り外した後、当該バイトフォーク（８３）を上顎クラッチ（８１）に着脱可能に取り付け可能である。前記バイトフォーク及び前記上顎クラッチは、そのいずれか一方に凹部が設けられ、他方に凸部が設けられ、この凹部と凸部が嵌合することにより、互いに着脱可能に取り付けられる。【選択図】　図１
2004105651.tif 000002
【特許請求の範囲】
【請求項１】
下顎模型を支持するための下顎フレームと、上顎模型を支持するための上顎フレームと、上顎模型のホルダと、バイトフォークを少なくとも備えた歯科用咬合器であって、
前記上顎模型のホルダは、上顎クラッチを備えており、
前記バイトフォークは、当該バイトフォークに着脱可能な支持部を有しており、
前記バイトフォークから前記支持部を取り外した後、当該バイトフォークを上顎クラッチに着脱可能に取り付ける歯科用咬合器。
【請求項２】
前記バイトフォーク及び前記上顎クラッチは、そのいずれか一方に凹部が設けられ、他方に凸部が設けられ、この凹部と凸部が嵌合することにより、互いに着脱可能に取り付けられる請求項１記載の歯科用咬合器。
【請求項３】
前記バイトフォーク及び前記上顎クラッチは、磁力により、互いに着脱可能に取り付けられる請求項１記載の歯科用咬合器。
【請求項４】
前記バイトフォークは、水準器を備えており、
前記下顎フレームの底部は、３つのスクリューによって３点支持されている請求項１〜３のいずれかに記載の歯科用咬合器。
【請求項５】
前記上顎模型のホルダは、前記上顎クラッチを固定支持する棒状体を備えており、
当該棒状体が、上顎模型のホルダに対して上下方向及び前後方向に相対的に移動することによって、上顎クラッチの位置を上下方向及び前後方向に調節でき、かつ、前記棒状体には上下位置目盛が設けられ、前記上顎模型のホルダには前後位置目盛が設けられている請求項１〜４のいずれかに記載の歯科用咬合器。
【請求項６】
前記上顎模型のホルダは、アーム状のフェイスボウと、当該フェイスボウに設けられたポインタを備えており、
当該ポインタが、フェイスボウに対してスライド及び回転することによって、ポインタの先端部の位置を水平方向に自在に調節でき、
かつ、当該ポインタにはスライド位置目盛が設けられ、前記フェイスボウには回転位置目盛が設けられている請求項１〜５のいずれかに記載の歯科用咬合器。
【請求項７】
前記下顎フレームの後方端部には一対の脚部が備えられ、当該脚部には顆頭球が互いに対向して設けられており、脚部を介して顆頭球の反対側には後方基準軸が設けられており、
当該後方基準軸が、脚部に対して左右方向に相対的に移動することによって、前記上顎クラッチの位置を左右方向に調節でき、
かつ、当該後方基準軸の支持部には左右位置目盛が設けられている請求項１〜６のいずれかに記載の歯科用咬合器。
【請求項８】
前記上顎模型のホルダは、アーム状のフェイスボウと、当該フェイスボウの後方両端部に設けられたリファレンスポインタを含み、
当該リファレンスポインタは、弾性部材からなるキャップを備える請求項１〜７のいずれかに記載の歯科用咬合器。
【請求項９】
下顎模型を支持するための下顎フレームと、上顎模型を支持するための上顎フレームと、上顎模型のホルダを少なくとも備えた歯科用咬合器であって、
前記上顎模型のホルダは、アーム状のフェイスボウと、当該フェイスボウの後方両端部に設けられたリファレンスポインタを含み、
当該リファレンスポインタは、弾性部材からなるキャップを備える歯科用咬合器。
【発明の詳細な説明】
【０００１】
【発明の属する技術分野】
本発明は、歯科用咬合器に関し、特に、バイトフォークを上顎クラッチに着脱可能に取り付けることができる歯科用咬合器等に関するものである。
【０００２】
【従来の技術】
歯科用咬合器は、患者の顎の形態の特徴に応じて咬合不正が生じないように、顎の動きを再現しながら調整して義歯等を製作する装置である。歯科用咬合器は、下顎模型が取り付けられる下顎フレームと、上顎模型が取り付けられる上顎フレームを備える。下顎フレームの後方端部に設けられた脚部には、開閉機構（生体の顎関節部に相当する）を介して、上顎フレームが取り付けられる。
【０００３】
開閉機構は、下顎フレームの脚部に互いに対向して設けられた一対の顆頭球（生体の下顎頭に相当する）と、上顎フレームに設けられた顆頭球の案内路（生体の下顎窩に相当する）とによって構成されている。上顎フレームは、左右の顆頭球の中心を結ぶ線分を回転軸として開閉運動を行なう。前記顆頭球の案内路は、上顎フレームの後方端部にあり、上顎フレームの上面で規定される基準面に対し下方に向かって矢状顆路傾斜角だけ傾斜した上壁と、後方端部側の後壁とから形成される。顆頭球は、上壁によって顆頭球案内路内を誘導される。
【０００４】
また、脚部を介して顆頭球の反対側には、後方基準軸が設けられており、この後方基準軸に上顎模型のホルダが取り付け可能となっている。上顎模型のホルダとしては、例えばアティチュードメータと呼ばれるものがあり、上顎模型のホルダが備える上顎クラッチの３次元的な位置を測定することができる。
【０００５】
【発明が解決しようとする課題】
しかしながら、従来のアティチュードメータを用いたホルダでは、各患者毎に調整し直す必要があった。このため、再度同一人について調整する場合でも、一から調整し直す必要があった。
【０００６】
また、従来のアティチュードメータでは、上顎クラッチが測定環を介して角度を変更可能に取り付けられる構成であるため、アティチュードメータの構成が複雑であり、また、使用に際してある程度の慣れが必要であった。
【０００７】
また、従来の歯科用咬合器では、上顎模型のホルダが備えるリファレンスポインタの先端をそれぞれ外耳道に挿入してする際、患者に痛みを与える場合があり、また、無理な（正しくない）挿入が行われる場合があるのでこれに留意する必要があった。
【０００８】
さらに、患者の顎の形態が多様であるため、上顎模型に傾きが生じ易く、歯列の平面が水平面から傾いてしまう場合があり、このような場合には、上下顎歯列の位置及び咬合関係を高精度に調整することが一層困難となっていた。
【０００９】
そこで、本発明は、上下顎歯列の位置及び咬合関係を高精度かつ簡便に調整することができる歯科用咬合器を提供することを目的とするものである。
【００１０】
【課題を解決するための手段】
本発明による歯科用咬合器は、下顎模型を支持するための下顎フレームと、上顎模型を支持するための上顎フレームと、上顎模型のホルダと、バイトフォークを少なくとも備えた歯科用咬合器であって、前記上顎模型のホルダは、上顎クラッチを備えており、前記バイトフォークは、当該バイトフォークに着脱可能な支持部を有しており、前記バイトフォークから前記支持部を取り外した後、当該バイトフォークを上顎クラッチに着脱可能に取り付けることを特徴とする。
【００１１】
このように構成されているので、バイトフォークを再利用することができ、各患者毎の位置をそれぞれ永久的に保存することができる。
【００１２】
前記バイトフォーク及び前記上顎クラッチは、そのいずれか一方に凹部が設けられ、他方に凸部が設けられ、この凹部と凸部が嵌合することにより、互いに着脱可能に取り付けられるものであってもよい。
【００１３】
前記バイトフォーク及び前記上顎クラッチは、磁力により、互いに着脱可能に取り付けられるものであってもよい。
【００１４】
前記バイトフォークは、水準器を備えており、前記下顎フレームの底部は、３つのスクリューによって３点支持されていることが好ましい。
【００１５】
このように水準器を参照しながらスクリューを回すことにより、歯列の平面が精密に水平面となるように容易に補正することができる。
【００１６】
前記上顎模型のホルダは、前記上顎クラッチを固定支持する棒状体を備えており、当該棒状体が、上顎模型のホルダに対して上下方向及び前後方向に相対的に移動することによって、上顎クラッチの位置を上下方向及び前後方向に調節でき、かつ、前記棒状体には上下位置目盛が設けられ、前記上顎模型のホルダには前後位置目盛が設けられていてもよい。
【００１７】
このように構成されているので、上顎模型のホルダの構成を従来のもの（例えば、アティチュードメータ）よりもシンプルなものとでき、しかも、上顎クラッチの位置を前後、上下に目盛で調節しながら、正確かつ簡易に調整することができる。
【００１８】
前記上顎模型のホルダは、アーム状のフェイスボウと、当該フェイスボウに設けられたポインタを備えており、当該ポインタが、フェイスボウに対してスライド及び回転することによって、ポインタの先端部の位置を水平方向に自在に調節でき、かつ、当該ポインタにはスライド位置目盛が設けられ、前記フェイスボウには回転位置目盛が設けられていてもよい。
【００１９】
このように構成されているので、正確かつ簡易に調節することができる。
【００２０】
前記下顎フレームの後方端部には一対の脚部が備えられ、当該脚部には顆頭球が互いに対向して設けられており、脚部を介して顆頭球の反対側には後方基準軸が設けられており、当該後方基準軸が、脚部に対して左右方向に相対的に移動することによって、前記上顎クラッチの位置を左右方向に調節でき、かつ、当該後方基準軸の支持部には左右位置目盛が設けられていてもよい。
【００２１】
このように構成されているので、上顎クラッチの左右の位置を目盛で調節しながら、正確かつ簡易に調整することができる。
【００２２】
前記上顎模型のホルダは、アーム状のフェイスボウと、当該フェイスボウの後方両端部に設けられたリファレンスポインタを含み、当該リファレンスポインタは、弾性部材からなるキャップを備えていてもよい。
【００２３】
このように構成されているので、リファレンスポインタを患者の外耳道に安全かつ正確に装着できる。
【００２４】
本発明の歯科用咬合器は、下顎模型を支持するための下顎フレームと、上顎模型を支持するための上顎フレームと、上顎模型のホルダを少なくとも備えた歯科用咬合器であって、前記上顎模型のホルダは、アーム状のフェイスボウと、当該フェイスボウの後方両端部に設けられたリファレンスポインタを含み、当該リファレンスポインタは、弾性部材からなるキャップを備えることを特徴とする。
【００２５】
【発明の実施の形態】
以下、本発明の実施の形態を、図面を参照しながら説明するが、本発明はこれらに限定されるものではない。
【００２６】
（第１の実施の形態）
図１は、実施形態１に係る歯科用咬合器１０の全体斜視図であり、図２は、図１における上顎クラッチ８１とバイトフォーク８３等の関係を説明する図であり、図３は、リファレンスポインタ７４と後方基準軸７６等の関係を説明する図である。
【００２７】
図１〜図３に示すように、歯科用咬合器１０は、下顎フレーム２０と、開閉機構を介して下顎フレーム２０に取り付けられる上顎フレーム３０と、上顎模型のホルダ９０を備えている。
【００２８】
下顎フレーム２０の後方端部には一対の脚部２１が備えられ、この脚部２１には顆頭球２２が互いに対向して設けられている。上顎フレーム３０の後方端部には顆頭球２２の案内路が形成されており、顆頭球２２はこの案内路内を誘導される。
【００２９】
下顎フレーム２０は、スクリュー２３、２４、２５により３点支持されており、各スクリューをそれぞれ回して上下移動させることにより、歯科用咬合器１０の基準面を自在に調節することができる。
【００３０】
下顎フレーム２０には、脚部２１を介して顆頭球２２の反対側に後方基準軸７６が設けられており、この後方基準軸７６に上顎模型のホルダ９０が取り付け可能となっている。
【００３１】
上顎模型のホルダ９０は、アーム状のフェイスボウ９１と、フェイスボウ９１の前方端部に設けられた上顎クラッチ前後調節部５３と、フェイスボウ９１に固定支持された棒状体９２と、フェイスボウ９１に可動に支持された棒状体５１と、棒状体５１に固定支持された上顎クラッチ８１を備えている。棒状体９２は、上顎クラッチ前後調節部５３の前方端部に固定されている。このように棒状体９２がフェイスボウ９１に固定支持されており、フェイスボウ９１の高さが所定値に維持されており、上顎フレーム３０と下顎フレーム２０の間の垂直顎間距離が保持されている。また、上顎フレーム３０は部材９３を回転可能に備えており、この部材９３をねじ９４によって回転させてフェイスボウ９１の上に載せることができるようになっている。
【００３２】
上顎クラッチ前後調節部５３は、前後位置目盛５４とねじ５５からなる。上顎クラッチ８１を固定支持した棒状体５１を、前後位置目盛５４によって移動量を調節しながら前後に移動させ、ねじ５５で固定することによって、正確かつ簡易に上顎クラッチ８１の前後位置を調整することができる。また、棒状体５１には、上下位置目盛５９が設けられており、この上下位置目盛５９によって移動量を調節しながら上下に移動させ、ねじ５２で固定することによって、正確かつ簡易に上顎クラッチ８１の上下位置を調整することができる。なお、前後位置目盛５４及び上下位置目盛５９は、それぞれ１ｍｍ間隔で目盛が付されていることが好ましい。
【００３３】
フェイスボウ９１はポインタ５６を備えており、ポインタ５６はフェイスボウ９１に対してスライド及び回転することができ、ポインタ５６の先端部３３の位置を水平方向に自在に調節することができるようになっている。ポインタ５６にはスライド位置目盛３１が設けられ、フェイスボウ９１には回転位置目盛３２が設けられている。この目盛３１、３２によってスライド量及び回転量を調節しながら、ポインタ５６の先端部３３を皮膚に触れさせながら水平に移動させ、ねじ５７で固定することによって、前方基準点の位置を正確かつ容易に調整することができる。なお、スライド位置目盛３１は１ｍｍ間隔で目盛が付されていることが好ましく、回転位置目盛３２は１度毎に目盛が付されていることが好ましい。
【００３４】
調整した際に、前後位置目盛５４、上下位置目盛５９、スライド位置目盛３１、回転位置目盛３２の値を記録しておくことにより、後日、正確かつ容易に、同じ条件で同位置を決定することができる。
【００３５】
棒状体５１には上顎クラッチ８１がジョイント８７、８８によって着脱可能に取り付けられる。ジョイント８８は、棒状体５１に直角に固定支持されている。図２に示すように、上顎クラッチ８１側のジョイント８７と、棒状体５１側のジョイント８８を結合させ、ねじ８９を閉めることにより、上顎クラッチ８１が棒状体５１に固定される。上顎クラッチ８１には凹部８５が形成されており、バイトフォーク８３には凹部８５に相補する形状の凸部８６が形成されており、この凹部８５と凸部８６を嵌合させることによりバイトフォーク８３を上顎クラッチ８１に着脱可能に取り付けることができる。バイトフォーク８３は、これに着脱可能な支持部８２を有しており、この支持部８２を図２に示すように取り外した後、バイトフォーク８３を上顎クラッチ８１に取り付ける。バイトフォーク８３には、周知の水準器８４が着脱可能に備えられている。水準器８４はバイトフォーク８３に対して嵌め込みにより取り付けられてもよく、マグネット等により着脱可能に取り付けられてもよい。
【００３６】
次に、図３を参照しながら、リファレンスポインタ７４と後方基準軸７６等の関係を説明する。なお、図３においては、顆頭球の図示は省略してある。脚部２１は、軸支持部７７を可動に支持しており、この軸支持部７７の先端には後方基準軸７６が設けられている。一方、フェイスボウ９１の後方両端部にはリファレンスポインタ７４が支持部７５を介して取り付けられている。リファレンスポインタの支持部７５は屈曲しており、後方基準軸７６に対向する部位に穴７３が形成されている。患者の外耳道にリファレンスポインタ７４を挿入し、目盛７２（目盛は１ｍｍ間隔で付されていることが好ましい）の値を記録した後、ホルダ９０を患者から外す。目盛７２の値を記録した値にしてねじ７１を締めた後、後方基準軸７６を穴７３に入れて、ホルダ９０を後方基準軸７６に取り付ける。これにより、後方基準軸７６とリファレンスポインタの支持部７５とが一体となる。そして、軸支持部７７に設けられた左右位置目盛（目盛は１ｍｍ間隔で付されていることが好ましい）によって移動量を調節しながら、調節ねじ７８を回転させて、後方基準軸７６を脚部２１に対して相対的に左右に移動させる。これにより、正確かつ簡易に上顎クラッチの左右の位置を調整することができる。
【００３７】
調整した際に、軸支持部７７の目盛及び目盛７２の値を記録しておくことにより、後日、正確かつ容易に同じ条件で同位置を決定することができる。
なお、上述のように上顎模型を調整装着した後、歯科用咬合器１０の上下を逆にして下顎模型を装着固定する際には、上顎フレーム３０の前方端部の穴３４にインサイザルポール（切歯指導桿）を取り付けるとともに、下顎フレーム２０の前方端部に切歯指導板を取り付けて使用することもできる。
【００３８】
本実施形態の歯科用咬合器１０は、上顎クラッチ８１にバイトフォーク８３が着脱可能に取り付けられるので、上顎模型を取り付けたバイトフォーク８３を再利用することができ、各患者毎の位置をそれぞれ永久的に保存することができ、上下顎歯列の位置及び咬合関係を正確かつ簡易に調整することができる。また、上記の構成としたので、上顎模型のホルダ９０の構成を従来のものよりもシンプルなものとでき、しかも、上顎クラッチ８１の位置を前後、上下、左右に目盛で調節しながら、また、ポインタ５６で前方基準点を調節しながら、正確かつ簡易に調整することができる。さらに、バイトフォーク８３を上顎クラッチ８１に着脱可能とし、かつ各目盛により再現容易としたので、上下顎歯列の位置及び咬合関係を一層高精度かつ簡易に調整することができる。
【００３９】
さらに、上顎模型の歯列の平面が水平面から傾いた場合には、水準器８４の測定結果を観察しながら、スクリュー２３、２４、２５をそれぞれ回して上下移動させることにより、歯列の平面が精密に水平面となるように補正することができる。すなわち、歯科用咬合器１０をスクリューによる３点支持とし、スクリュー２３、２４、２５を上下移動させて、各支持点における高さを調節することにより、歯科用咬合器１０の基準面を変化させて、上顎模型の歯列の平面の傾きを補正することができる。
【００４０】
なお、本実施形態においては、上顎クラッチ８１に所定の形状の凹部８５が形成され、バイトフォーク８３に所定の形状の凸部８６が形成された場合について説明したが、バイトフォークを上顎クラッチへ着脱可能に取り付ける機構はこれに限定されない。上顎クラッチ側に凸部が形成されバイトフォーク側に凹部が形成されてもよく、凹凸の形状は適宜変更されてもよい。凹凸の形状は互いに完全に相補せず、その一部において嵌合可能であってもよい。
【００４１】
また、本実施形態においては、バイトフォークが上顎クラッチに着脱可能である点、棒状体５１が上顎模型のホルダ９０に対して上下、前後に調節可能である点、ポインタ５６に目盛がある点、後方基準軸７６を左右に調節できる点、等をすべて備えた歯科用咬合器１０について説明したが、本発明は本実施形態に限定されず、これらの特徴点のうち一部を有するものも包含するものも含むことはいうまでもない。
【００４２】
（第２の実施の形態）
図４は、実施形態２に係り、上顎クラッチとバイトフォーク等の異なる関係を説明する図である。
【００４３】
図４に示すように、実施形態２に係る歯科用咬合器は、上顎クラッチ８１に代えて上顎クラッチ８１’を用い、バイトフォーク８３に代えてバイトフォーク８３’を用い、支持部８２に代えて支持部８２’を用いた点が、実施形態１とは異なっている。なお、実施形態１と同様の部材については同一の符号を付し、その説明を省略する。
【００４４】
実施形態２では、上顎クラッチ８１’には凹部８５’が形成され、凹部８５’の底部にはマグネットが嵌め込まれている。バイトフォーク８３’にはマグネットに吸着する金属からなる凸部８６’が形成されている。この凹部８５’と凸部８６’を嵌合させることによりバイトフォーク８３’を上顎クラッチ８１’に着脱可能に取り付けることができる。バイトフォーク８３’は、これに着脱可能なＬ字状の支持部８２’を有しており、ねじ９５を外して支持部８２’を取り外した後、バイトフォーク８３’を上顎クラッチ８１’に取り付ける。
【００４５】
実施形態２においても、実施形態１と同様に、上顎クラッチ８１’にバイトフォーク８３’が着脱可能に取り付けられるので、上顎模型を取り付けたバイトフォーク８３’を再利用することができ、各患者毎の位置をそれぞれ永久的に保存することができ、上下顎歯列の位置及び咬合関係を高精度かつ簡易に調整することができる。
【００４６】
（第３の実施の形態）
図５は、実施形態３に係るリファレンスポインタとキャップの関係を説明する図である。
【００４７】
図５に示すように、実施形態３に係る歯科用咬合器は、リファレンスポインタ７４が、弾性部材からなるキャップ６１又は６３を備える点のみが実施形態１とは異なっている。なお、実施形態１と同様の部材については同一の符号を付し、その説明を省略する。
【００４８】
図５（ａ）に示すように、キャップ６１はシリコンラバーから構成され、リファレンスポインタ７４を収容する穴と、タブ６２を備えている。このキャップ６１をリファレンスポインタ７４に被せることにより、リファレンスポインタ７４を患者の外耳道に挿入した際、患者に痛みを与えることがなく、また外耳道にフィットするので正しく挿入でき、安全かつ正確に装着することができる。リファレンスポインタ７４を抜き出した際にキャップ６１が外耳道内に残ってしまった場合には、タブ６２を引っ張ることにより、キャップ６１を容易に取り出すことができる。
【００４９】
また、図５（ｂ）（ｃ）に示すような異なるキャップ６３を用いてもよい。図５（ｃ）はキャップ６３の断面図である。図５（ｂ）（ｃ）に示すように、リファレンスポインタ７４が挿入される側へ配向した鍔を複数有する構成とすれば、一層外耳道にフィットするので、一層完全かつ正確に装着することができる。
【００５０】
なお、キャップの形状は上記に限定されない。キャップがリファレンスポインタに固定されている場合、リファレンスポインタ自身が弾性部材からなる場合、等も本発明は含み得る。
【００５１】
【発明の効果】
本発明の歯科用咬合器を用いれば、高精度かつ簡便に上下顎歯列の位置及び咬合関係を調整することができる。
【図面の簡単な説明】
【図１】実施形態１に係る歯科用咬合器の全体斜視図である。
【図２】図１における上顎クラッチとバイトフォーク等の関係を説明する図である。
【図３】リファレンスポインタと後方基準軸等の関係を説明する図である。
【図４】実施形態２に係り、上顎クラッチとバイトフォーク等の異なる関係を説明する図である。
【図５】実施形態３に係るリファレンスポインタとキャップの関係を説明する図である。
【符号の説明】
１０・・・歯科用咬合器、２０・・・下顎フレーム、３０・・・上顎フレーム、
２１・・・脚部、２２・・・顆頭球、
９０・・・上顎模型のホルダ、９１・・・フェイスボウ、９２、５１・・・棒状体、
８１・・・上顎クラッチ、８３・・・バイトフォーク、８５・・・凹部、８６・・・凸部、
８７、８８・・・ジョイント、５３・・・クラッチ前後調節部、
５４・・・前後位置目盛、３１・・・スライド位置目盛、３２・・・回転位置目盛、
５９・・・上下位置目盛、７４・・・リファレンスポインタ、７５・・・支持部、
７６・・・後方基準軸、７７・・・軸支持部、
６１、６３・・・キャップ、８４・・・水準器
【図１】
2004105651.tif 000003
【図２】
2004105651.tif 000004
【図３】
2004105651.tif 000005
【図４】
2004105651.tif 000006
【図５】
2004105651.tif 000007